(57)【要約】      （修正有）【課題】血液の循環を促進し、疲労を取り除き、体の健康を維持することができる人体ストレッチ装置を提供する。【解決手段】人体ストレッチ装置は、第１伸長部１０、第２伸長部２０、膨張部材、制御回路およびコントローラ５０を含む。第１伸長部１０はＵ字形フレームであり、第２伸長部２０は第１伸長部１０に連結され、第１エアバッグ２１を有する。膨張部材は少なくとも１つの空気抜き部材に接続され、空気抜き部材は第１エアバッグ２１に接続され、制御回路は空気吸収部材に電気的に接続される。コントローラ５０は、制御回路に電気的に接続されているので、第１伸長部１０および第２伸長部２０は、肩、頸部および背部に装着され、前胸部と背部の間に締め付けて固定される。第１エアバッグ２１は、膨張部材によって膨張され、第１エアバッグ２１が膨張して前方に支持される。【選択図】図１
0003220296.tif 000002
【実用新案登録請求の範囲】
【請求項１】
一種の人体ストレッチ装置であり、第１伸長部、第２伸長部、膨張部材、制御回路およびコントローラを含み、
前記第１伸長部は、頸部、肩、および前胸部に対して着用するためのＵ字形フレームであり、前記第２伸長部は、前記第１伸長部に連結され、背部に取り付けるための第１エアバッグを有し、前記膨張部材は少なくとも１つの空気抜き部材に接続され、前記空気抜き部材が前記第１エアバッグと連通し、前記制御回路は前記膨張部材に電気的に接続され、前記コントローラは前記制御回路に電気的に接続されることを特徴とする、人体ストレッチ装置。
【請求項２】
前記第１伸長部は２つの第３エアバッグを有し、前記第３エアバッグは空気抜き部材に連通し、前記第３エアバッグは扇状の膨張状態で人体の頸部に向かって膨張することを特徴とする、請求項１に記載の人体ストレッチ装置。
【請求項３】
前記第１伸長部は２つの作動レバーに回転自在に連結され、前記第３エアバッグは折り畳み部を有し、前記折り畳み部の上側は前記作動レバーに当接し、前記第３エアバッグは膨張して扇形の展開状態を形成し、前記作動レバーは人体の頸部に向かって持ち上げられるように駆動され、前記作動レバーの一端は、前記支持部に回転自在に接続され、前記支持部は、対応する顎部を上部に支持するように正確に角度を調整して回転し、回転自在に接続する前記支持部には複数の係止溝があり、前記支持部は係止突起を有し、前記係止突起は前記係止溝の１つに配置されて位置決めを形成し、前記係止突起は、弾性材料から選択され、前記支持部が回転されると、前記係止突起が係止溝のうちの１つから除去され、次に他の係止溝に挿入されて位置決めを形成し、前記支持部の回転後の角度を固定することを特徴とする、請求項２に記載の人体ストレッチ装置。
【考案の詳細な説明】
【技術分野】
【０００１】
本考案は、ストレッチ装置の技術分野に関し、特に、前胸部と背部の間を締め付けて固定する機能を有し、背部を支持することができ、頸部を押すこと、肩を伸ばすこと、胸を伸ばすこと、肩を広げること、身体を活性化すること、体がリラックスする伸長運動を快適に行うことができる、人体ストレッチ装置である。
【０００２】
近代的な人々は、産業と商業の盛んな発展のために、長い時間をかけて仕事をしてきた。頻繁に運動する時間やスペースがないため、体にしばしば疲労や痛みやストレスの症状を呈する。そのため、マッサージ器を使用してマッサージする必要があることがよくある。
【０００３】
したがって、市場は様々な体の健康機器でいっぱいであるが、これらの健康機器の大半は、かさばり、複雑な構造であり、持ち運びに不便であり、操作が煩雑であり、高価である。
【０００４】
さらに、現在のところ、背部を支持することができ、頸部を押すこと、肩を伸ばすこと、胸を伸ばすこと、肩を広げること、身体を活性化すること、体がリラックスする伸長運動を快適に行うことができる人体ストレッチ装置は存在していない。
【０００５】
台湾特許公報第Ｍ４５４８３８号「押し出しエアーマッサージ機」を参照されたい。それは、空気の出入りによる、空気圧の多少の原理に基づいて、脊髄および腰の損傷を有する患者に一般的に提供される鎮静装置であり、背骨矯正ベルトとコルセットマッサージ矯正ベルトの効果を実現することを明らかにするだけである。
【０００６】
さらに、中国特許公開第ＣＮ２０６３３４０８４Ｕ号は、開示された装置の汎用性および安全性を重視している。
【先行技術文献】
【特許文献】
【０００７】
【特許文献１】台湾特許公報第Ｍ４５４８３８号明細書
【特許文献２】中国特許公開第ＣＮ２０６３３４０８４Ｕ号明細書
【０００８】
しかし、上記の２つの考案は、本考案のように背部を支持し、頸部を押すこと、肩を伸ばすこと、胸を伸ばすこと、肩を広げること、身体を活性化すること、体がリラックスする伸長運動を快適に行うことができることは開示されていない。
【０００９】
したがって、本考案者は、製品の継続的な改善と革新という概念に基づいて、製品の設計と開発をし、そして積極的な研究開発の長年の経験に基づき、多数の実用的な設計、実験を通して、本考案の装置が開発された。
【考案の概要】
【考案が解決しようとする課題】
【００１０】
本考案の目的は、第１伸長部と第２伸長部による前胸部と背部との間に形成する挟持固定機能を有し、背部を支持することにより、頸部を押すこと、肩背部を伸ばすこと、胸を伸ばすこと、肩を広げること、身体を活性化すること、体がリラックスする伸長運動を快適に行うことができる人体ストレッチ装置を提供することにある。
【課題を解決するための手段】
【００１１】
上記目的を達成するために本考案は主に以下の技術的手段が用いられる。
一種の人体ストレッチ装置であり、第１伸長部、第２伸長部、膨張部材、制御回路およびコントローラを含み、
第１伸長部は、頸部、肩、および前胸部に対して着用するためのＵ字形フレームであり、第２伸長部は、第１伸長部に連結され、背部に取り付けるための第１エアバッグを有し、膨張部材は少なくとも１つの空気抜き部材に接続され、空気抜き部材が第１エアバッグと連通し、制御回路は膨張部材に電気的に接続され、コントローラは制御回路に電気的に接続される。
【００１２】
また、第１伸長部は、対応する頸部に当接部を有し、当接部内部は、第２エアバッグを有し、第２エアバッグは、空気抜き部材に連通されている。
【００１３】
また、第１伸長部は、２つの第３エアバッグと回転自在に接続する２つの作動レバーとを有する。第３エアバッグは空気抜き部材に接続され、作動レバーは支持部に連結されている。作動レバーの一側は、第１伸長部に回転自在に接続され、第３エアバッグは折り畳み部を有し、折り畳み部の上側が作動レバーの下側に当接する。第３エアバッグが膨張して扇状の展開形状を形成し、作動レバーが人体の頸部に向かって持ち上げられる。
【００１４】
さらに、作動レバーの一端は、支持部に回転自在に接続され、支持部は、対応する顎部を正確に支持するように回転して調整することができる。作動レバーの一端には複数の係止溝が回転自在に設けられ、支持部には係止突起が配置され、係止突起は係止溝のうちの１つに係止されて位置決めされる。係止突起は弾性材料から選択され、一方の係止溝から係止突起を抜き取り、他方の係止溝に挿入して位置決めすることにより、支持部が調整後の角度の回転を固定することができる。
【００１５】
また、支持部の上側には、弾性材料からなる接触部が設けられている。
【００１６】
さらに、膨張部材は、膨張ポンプから選択され、空気抜き部材は、空気抜きバルブから選択される。
【００１７】
また、第１伸長部の両端には２つの第４エアバッグが設けられ、第４エアバッグ内には弾性体が設けられ、第４エアバッグは圧縮されて第４エアバッグの持ち上げを補助し、第４エアバッグは制御エアバルブに接続される。制御バルブは、第４エアバッグに出入りする空気を制御する。
【００１８】
また、第１伸長部の両端部は２つのベルトを有し、第１伸長部には対応する左右の頸部位置に２つの第５エアバッグが設けられ、第５エアバッグにはフランジが設けられている。左右の肩位置に対応する、第１伸長部には２つの第６エアバッグが配置され、第５エアバッグと第６エアバッグとが空気抜き部材に連通されている。
【００１９】
さらに、膨張部材、空気抜き部材、および制御回路は、第１伸長部またはコントローラに配置される。
【００２０】
上記の技術的手段を用い、本考案の人体ストレッチ装置は、第１伸長部と、第２伸長部と、膨張部材と、制御回路と、コントローラとを含む構造設計である。第１伸長部は、頸部、肩、および前胸部に対して着用するためのＵ字形フレームであり、第２伸長部は、第１伸長部に連結され、背部に取り付けるための第１エアバッグを有する。膨張部材は少なくとも１つの空気抜き部材に接続され、空気抜き部材が前記第１エアバッグと連通する。制御回路は膨張部材に電気的に接続され、コントローラは制御回路に電気的に接続されている。このため、第１伸長部および第２伸長部を肩、頸部、背部に快適に着用し、前胸部と背部の間に締め付け固定機能を形成することができる。第１エアバッグは、膨張部材によって膨張され、第１エアバッグは背部を前方に支持することにより、頸部を押すこと、肩を伸ばすこと、胸を伸ばすこと、肩を広げること、身体を活性化すること、体がリラックスする伸長運動を快適に行うことができる。さらに、コントローラは、第１エアバッグの膨張および収縮を調整して、第１エアバッグが異なる厚さを生成するようにすることができる。また、個々のニーズを満たすために、頸部を押すこと、肩を伸ばすこと、胸を伸ばすこと、および肩を広げることを異なる程度に調整することができ、血液循環を促進し、疲労を排除するなど、体の健康を維持する効果を有する。
【考案の効果】
【００２１】
本考案は第１伸長部と、第２伸長部と、膨張部材と、制御回路と、コントローラとを含む構造設計により、頸部を押すこと、肩を伸ばすこと、胸を伸ばすこと、肩を広げること、身体を活性化すること、体がリラックスする伸長運動を快適に行うことができるので、血液の循環を促進し、疲労を取り除き、体の健康を支持することができる。
【図面の簡単な説明】
【００２２】
【図１】本考案の斜視図である。
【図２】本考案の分解斜視図である。
【図３】本考案の支持部の調整及び使用を示す図である。
【図４】本考案の使用例を示す図である。
【図５】本考案の使用例を示す図である。
【図６】本考案の使用例を示す図である。
【図７】本考案の使用例を示す図である。
【図８】本考案の別の構成の斜視図である。
【図９】本考案の別の構成の分解斜視図である。
【図１０】本考案の他の構成の使用例を示す図である。
【図１１】本考案の他の構成の使用例を示す図である。
【図１２】本考案の第５エアバッグが内側に膨張させて、左右の頸部を支持するときの使用例を示す図である。
【図１３】本考案の第５エアバッグが内側に膨張させて、左右の頸部を支持するときの使用例を示す図である。
【図１４】本考案のさらに別の構成を示す斜視図である。
【図１５】本考案のさらに別の構成を示す斜視図である。
【考案を実施するための形態】
【００２３】
以下は、特定の実施形態および図面の詳細な説明であり、本発明の機能および特徴をさらに理解および認識することができる。
【００２４】
図１、図２、図３及び図４を参照すると、本考案は、第１伸長部１０と、第２伸長部２０と、膨張部材３０と、制御回路４０と、コントローラ５０とを備える。
【００２５】
第１伸長部１０は、頸部、肩、および前胸部に対して着用するためのＵ字形フレームである。
【００２６】
第２伸長部２０は、第１伸長部１０に連結され、背部を当接するための第１エアバッグ２１を有する。
【００２７】
膨張部材３０は、第１エアバッグ２１に連通する複数の空気抜き部材３１に接続されている。
【００２８】
制御回路４０は、膨張部材３０に電気的に接続されている。
【００２９】
コントローラ５０は、制御回路４０に電気的に接続されている。
【００３０】
本考案の一つの構成の実施形態では、第１伸長部１０は、頚部に当接部１１を有し、その当接部１１には第２エアバッグ１１１が設けられており、第２エアバッグ１１１は空気抜き部材３１に連通されている。
【００３１】
本考案の一つの構成の実施形態では、第１伸長部１０は、２つの第３エアバッグ１２と、回転自在に接続されている作動レバー１３とを有する。第３エアバッグ１２は、空気抜き部材３１に連通されている。作動レバー１３は支持部１４に連結されており、作動レバー１３の一側は第１伸長部１０に回転自在に連結されている。第３エアバッグ１２は、折り畳み部１２１を有し、折り畳み部１２１の上側が膨張時に扇状の展開形状を形成するために作動レバー１３の下側に当接し、作動レバー１３を人体の頸部に向かって傾けるように駆動する。
【００３２】
本考案の一つの構成の実施形態では、膨張部材３０は、空気入れポンプから選択され、空気抜き部材３１は、空気抜きバルブから選択される。
【００３３】
本考案の一つの構成の実施形態では、作動レバー１３の一端は、支持部１４に回転自在に接続され、支持部１４は、対応する顎部を正確に支持するように回転調整することができる。作動レバー１３の一端には複数の係止溝１３１が回動可能に設けられ、支持部１４には係止突起１４１が配置され、係止突起１４１は係止溝１３１のうちの１つに係止されて位置決めされる。係止突起１４１は弾性材料から選択され、一方の係止溝１３１から係止突起１４１を抜き取り、他方の係止溝１３１に挿入して位置決めすることにより、支持部１４が調整後の角度の回転を固定することができる。
【００３４】
本考案の一つの構成の実施形態では、支持部１４の上側には、接触部１４２を有し、接触部１４２は弾性材料から選択され、上部の顎部に快適に当接する。また、頸部下部の顎部を支持部１４によって上方に、支持すると、顎部が強く、支持されることが防止され、頸部の怪我を防止する緩衝機能を発揮する。
【００３５】
本考案の一つの構成の実施形態では、第１伸長部１０の両端には、２つの第４エアバッグ１５を有する。第４エアバッグ１５内にはプラスチックフォームのような弾性体１５１を有し、弾性体１５１が圧縮された後、第４エアバッグ１５の高さを補助的に高くすることができる。第４エアバッグ１５は、第４エアバッグ１５の空気の出入りを制御する、制御バルブ１５２に接続されている。
【００３６】
勿論、第４エアバッグ１５は、空気抜き部材３１と直接的に連通し、膨張部材３０は第４エアバッグ１５の空気の出入りを制御することもできる。
【００３７】
上記した本考案の構成部材およびその構成方法を説明したが、その使用特性および効果を以下のように説明する
【００３８】
図４および図５を参照すると、第１伸長部１０および第２伸長部２０は、肩、頸部、背部に快適に着用することがで、前胸部と背部の間に締め付け固定する作用を形成する。第１エアバッグ２１および第２エアバッグ１１１は、膨張部材３０によって膨張され、第１エアバッグ２１が前方に膨張して背部を支持し、第２エアバッグ１１１が前方に膨張して頸部を支持することにより、頸部を押すこと、肩背部を伸ばすこと、胸を伸ばすこと、肩を広げること、身体を活性化すること、体がリラックスする伸長運動を快適に行うことができる。
【００３９】
また、コントローラ５０により、第１エアバッグ２１の膨張、収縮を調整して第１エアバッグ２１の支持厚さを異ならせることができる。それはまた、個々のニーズを満たすために、頸部を押すこと、肩を伸ばすこと、胸を伸ばすこと、肩を広げることを調整し、血液循環を促進し、疲労を排除するなど、体の健康を維持することができる。
【００４０】
第３エアバッグ１２は、膨張部材３０によって膨張され、第３エアバッグ１２が膨張して、作動レバー１３、支持部１４および接触部１４２を直接駆動して顎部を上方に支持することにより、頭部および頸部を後方に引き伸ばされる効果を形成する。
【００４１】
図６および図７を参照して、ユーザが使用時に制御バルブ１５２により、第４エアバッグ１５に対して膨張させ、第４エアバッグ１５を前に膨張させて前胸部に支持させる。第１伸長部１０および第２伸長部２０は、肩部、頸部および背部にフィットし、快適に着用することができるので、異なる人に適用する。
【００４２】
本実施形態では、制御バルブ１５２が押されると、第４エアバッグ１５を自動的に膨張させることができ、第４エアバッグ１５が同時に押圧されると、空気が抜かれ、制御バルブ１５２が押されることから開放されると、第４エアバッグ１５は一定な形を保つことができる。
【００４３】
図８、図９、図１０を参照して、本考案の他の構成の実施形態では、当接部１１と上部に、支持する頭部の顎部、及び頚部は後部への伸展構造が設置されていないのは、主に第１伸長部１０の両端には、２本のベルト６０が設けられているためである。第１伸長部１０には、左右の頸部に対応する位置に２つの第５エアバッグ１６が設けられ、第５エアバッグ１６にはフランジ１６１が設けられている。第１伸長部１０には、左右の肩に対応する位置に２つの第６エアバッグ１７が設けられ、第５エアバッグ１６と第６エアバッグ１７とが空気抜き部材３１に連通されている。
【００４４】
図１１、図１２、図１３を参照すると、図８の構造が続き、使用時には、ベルト６０を手で下方へ引っ張ることができるので、第１伸長部１０と第２伸長部２０をしっかりと安定して肩、頸部、背部に着用させることができる。第１エアバッグ２１を前に膨張させて背部を支持することにより、身体を快適に引き延ばす、リラックスできる運動を行えるとともに、第５エアバッグ１６は、内側に膨張して左右の頸部を支持することができ、第６エアバッグ１７は、下方に膨張して、左右の肩を支持することができ、ストレッチ効果を高めることができる。
【００４５】
図１４および図１５を参照すると、膨張部材３０、空気抜き部材３１および制御回路４０は、第１伸長部１０に加えてコントローラ５０内に設けられてもよい。
【００４６】
以上、本考案の実施の形態を説明したが、本考案の請求の範囲をそれらのみに限定する趣旨のものではない。すなわち、添付の本考案の請求の範囲による様々な変換設計は、本考案の範囲に含まれるものとする。
【符号の説明】
【００４７】
１０    第１伸長部
１１    当接部
１１１  第２エアバッグ
１２    第３エアバッグ
１２１  折り畳み部
１３    作動レバー
１３１  係止溝
１４    支持部
１４１  係止突起
１４２  接触部
１５    第４エアバッグ
１５１  弾性体
１５２  制御バルブ
１６    第５エアバッグ
１６１  フランジ
１７    第６エアバッグ
２０    第２伸長部
２１    第１エアバッグ
３０    膨張部材
３１    空気抜き部材
４０    制御回路
５０    コントローラ
６      ベルト
【図１】
0003220296.tif 000003
【図２】
0003220296.tif 000004
【図３】
0003220296.tif 000005
【図４】
0003220296.tif 000006
【図５】
0003220296.tif 000007
【図６】
0003220296.tif 000008
【図７】
0003220296.tif 000009
【図８】
0003220296.tif 000010
【図９】
0003220296.tif 000011
【図１０】
0003220296.tif 000012
【図１１】
0003220296.tif 000013
【図１２】
0003220296.tif 000014
【図１３】
0003220296.tif 000015
【図１４】
0003220296.tif 000016
【図１５】
0003220296.tif 000017
【手続補正書】
【提出日】平成30年12月20日(2018.12.20)
【手続補正１】
【補正対象書類名】実用新案登録請求の範囲
【補正対象項目名】全文
【補正方法】変更
【補正の内容】
【実用新案登録請求の範囲】
【請求項１】
一種の人体ストレッチ装置であり、第１伸長部、第２伸長部、膨張部材、制御回路およびコントローラを含み、
前記第１伸長部は、頸部、肩、および前胸部に対して着用するためのＵ字形フレームであり、前記第２伸長部は、前記第１伸長部に連結され、背部に取り付けるための第1エアバッグを有し、前記膨張部材は少なくとも１つの空気抜き部材に接続され、前記空気抜き部材が前記第１エアバッグと連通し、前記制御回路は前記膨張部材に電気的に接続され、前記コントローラは前記制御回路に電気的に接続されることを特徴とする、人体ストレッチ装置。
【請求項２】
前記第１伸長部は２つの第３エアバッグを有し、前記第３エアバッグは空気抜き部材に連通し、前記第３エアバッグは扇状の膨張状態で人体の頸部に向かって膨張することを特徴とする、請求項１に記載の人体ストレッチ装置。
【請求項３】
前記第１伸長部は２つの作動レバーに回転自在に連結され、前記第３エアバッグは折り畳み部を有し、前記折り畳み部の上側は前記作動レバーに当接し、前記第３エアバッグは膨張して扇形の展開状態を形成し、前記作動レバーは人体の頸部に向かって持ち上げられるように駆動され、前記作動レバーの一端は、支持部に回転自在に接続され、前記支持部は、対応する顎部を上部に支持するように正確に角度を調整して回転し、回転自在に接続する前記支持部には複数の係止溝があり、前記支持部は係止突起を有し、前記係止突起は前記係止溝の1つに配置されて位置決めを形成し、前記係止突起は、弾性材料から選択され、前記支持部が回転されると、前記係止突起が係止溝のうちの１つから除去され、次に他の係止溝に挿入されて位置決めを形成し、前記支持部の回転後の角度を固定することを特徴とする、請求項２に記載の人体ストレッチ装置。